(57)【要約】【課題】  従来のシークレットハガキ作成装置は、シークレットハガキ以外の記録媒体を印刷することができなかった。  また、印刷面を十分に乾燥させてから折り畳まないと、印刷が転写されるという課題があった。【解決手段】  スタッカ部に取り外し可能なシークレットハガキ作成装置を設ける。  シークレットハガキを折り畳む内側の面を最初に印刷する。  シークレットハガキを折り畳むローラを撥水性の材質にする。【選択図】  図１
2007144717.tif 000002
【特許請求の範囲】
【請求項１】
記録媒体に画像を記録する記録手段と、
マルチサイズの記録媒体を収納する収納手段と、
収納した記録媒体を分離して給紙する分離手段と、
記録媒の両面を記録する両面記録手段とを、
有したインクジェットプリンタにおいて、
スタッカ部にシークレットハガキ作成装置を設けたことを特徴とするインクジェットプリンタ。
【請求項２】
前記請求項１に記載されたインクジェットプリンタにおいて、
前記シークレットハガキ作成装置を取り外し可能にしたことを特徴とする請求項１に記載のインクジェットプリンタ。
【請求項３】
前記請求項１に記載されたインクジェットプリンタにおいて、
最初に印刷した面を内側にしてシークレットハガキを作成することを特徴とする請求項１に記載のインクジェットプリンタ。
【請求項４】
前記請求項１に記載されたインクジェットプリンタにおいて、
シークレットハガキを圧接して折り曲げるローラを撥水性のある材質にしたことを特徴とする請求項１に記載のインクジェットプリンタ。
【発明の詳細な説明】
【技術分野】
【０００１】
本発明はシークレットハガキ作成装置が取り付け可能なインクジェットプリンタに関する。
【背景技術】
【０００２】
従来のシークレットハガキ作成装置として、加熱圧接手段を有したものがあり（例えば特許文献１参照。）、ハガキを折り畳む面に感熱接着剤層を形成した透明樹脂フィルムと、感熱接着剤フィルムを挟んで加熱圧接することでシークレットハガキを作成している。
【０００３】
また、ハガキを印刷後に接着剤を塗布して張り合わせる従来例がある（例えば特許文献２参照。）。
【特許文献１】特開平06-106881号公報（４項、図１）
【特許文献２】特開平11-245559号公報（６項、図１）
【発明の開示】
【発明が解決しようとする課題】
【０００４】
従来のシークレットハガキ作成装置において、印刷からハガキ折りまで一括してできるシークレットハガキ作成装置は、シークレットハガキ以外の記録媒体を印刷することができないという課題があった。
【０００５】
また、インクジェット印刷による印刷方法では、印刷面を十分に乾燥させてから折り畳まないと、印刷が転写されるという課題があった。
【課題を解決するための手段】
【０００６】
スタッカ部に取り外し可能なシークレットハガキ作成装置を設ける。
【０００７】
また、シークレットハガキを折り畳む内側の面を最初に印刷する。
【０００８】
また、シークレットハガキを折り畳むローラを撥水性の材質にする。
【発明の効果】
【０００９】
本発明では、スタッカ部に取り外し可能なシークレットハガキ作成装置を設けることによって、シークレットハガキ以外の記録媒体を印刷することが可能となった。
【００１０】
また、シークレットハガキを折り畳む内側の面を最初に印刷することによって、乾燥させるための時間が必要なくなった。
【００１１】
また、シークレットハガキを折り畳むローラを撥水性の材質にすることによって、シークレットハガキのインクがローラに付着することがなくなった。
【発明を実施するための最良の形態】
【００１２】
図１は、本発明が適用できる記録装置の一例であるインクジェット記録装置とシークレットハガキ作成装置を示した簡易断面図である。
【００１３】
１は記録ヘッド、２は記録媒体を搬送するためのＬＦローラ、３はＬＦローラの従動ローラであるピンチローラ、４は記録媒体を排紙するための排紙ローラ、５は印字時に記録媒体を平行にするためのプラテン、６は排紙ローラの従動ローラである拍車、７はピンチローラを回転可能にして保持しているピンチローラホルダ、８は記録媒体を積載する給紙トレイ、９は記録媒体を給紙するための給紙ローラ、１０は分離パッドを固定するための固定部、１１は記録媒体の最後の一枚を分離給紙するための分離パッド、１２は給紙した記録媒体を搬送するための搬送ローラ、１３は搬送ローラの従動ローラである搬送従動ローラ、１４は裏面搬送された記録媒体を反転させる反転ローラ、１５は反転ローラの従動ローラである反転従動ローラ、１６、１７は給紙した記録媒体を反転させるための反転ガイド、１８、１９は裏面搬送された記録媒体を搬送するための搬送ローラ、２０は排紙した記録媒体を排紙するか裏面印刷するかを選択するための裏面レバー、２１は排紙した記録媒体を搬送するための排紙ローラ、２２は排紙ローラの従動ローラである拍車、２３、２４は排紙した記録媒体をフェイスダウンさせるための反転ガイド、２５は排紙した記録媒体をスタックするための排紙ローラ、２６は排紙ローラの従動ローラである拍車、２７は排紙ローラを保持している排紙ローラガイド、２８は記録媒体をスタックするための排紙トレイ、２９は裏面搬送された記録媒体をガイドする搬送ガイド、３０は裏面搬送された記録媒体を搬送するための搬送ローラ、３１は搬送ローラの従動ローラである搬送従動ローラ、３２、３３、３４、３５は裏面搬送された記録媒体を搬送するための搬送ガイド、３６は裏面搬送された記録媒体を搬送するための搬送ローラ、３７は裏面搬送された記録媒体を反転させるための反転ガイド、３８は記録媒体を複数枚積載して記録媒体を給紙するための給紙ローラ、３９は記録媒体の最後の一枚を分離給紙するための分離パッド、４０は分離パッドを固定するための固定部、４１は手差し給紙された記録媒体をＬＦローラに搬送するための搬送ローラ、４２は搬送ローラの従動ローラである搬送従動ローラ、４３、４４は手差し給紙された記録媒体を搬送するための搬送ガイド、４５は記録媒体を復数枚積載するための手差し部、４６は下段給紙から搬送されてくる下段給紙部、４７は装置本体のボトムケースである。
【００１４】
次に、５０は接着ローラを回転されるための駆動ローラ、５１は接着剤をシークレットハガキＰに塗布するための接着ローラ、５２は接着ローラに塗布するための接着剤を保持している接着剤ホルダ、５３はシークレットハガキＰを搬送するための搬送ローラ、５４は搬送ローラの従動ローラである搬送従動ローラ、５５はシークレットハガキＰを搬送ガイドする搬送ガイド、５６、５８はシークレットハガキを折り曲げ圧接するための圧接ローラ、５７は圧接ローラの従動ローラである圧接従動ローラ、５９はシークレットハガキを圧接する前の保持トレイ、６０は折り曲げ圧接したシークレットハガキを積載保持するための排紙トレイ、６１は印刷されて搬送されてきたシークレットハガキの先端を検出するためのＰＥセンサである。
【００１５】
次に、装置全体の印字時の構成及び動作について説明する。
【００１６】
給紙トレイ8（記録媒体積載手段）に積載している複数枚のシークレットハガキPを分離パッド１１と給紙ローラ９を弾性押圧して図中矢印方向に回転させることによってシークレットハガキＰは図中矢印方向（下流側）へ搬送し、次に図中矢印方向に搬送ローラ１２と搬送従動ローラが回転することによって下流側に搬送し、次に反転ガイド１６、１７を通過して、さらに図中矢印方向に回転している搬送ローラ１９を経由してＬＦローラ２とピンチローラ３のニップ部まで搬送させる。
【００１７】
次に、図中矢印方向に回転しているＬＦローラ２とピンチローラ３によってシークレットハガキＰを一定量単位で搬送させながら記録ヘッド１にて印刷する。次に、印刷されたシークレットハガキＰは図中矢印方向に回転する排紙ローラ４と拍車６により順次排紙され、図中矢印方向に回転している排紙ローラ２１と拍車２２により排紙されて、次に、反転ガイド２３、２４を通過して、図中矢印方向に回転している排紙ローラ２５と拍車２６によって排紙される。
【００１８】
次に、裏面印刷を行うための動作について説明する。
【００１９】
排紙されたシークレットハガキＰの後端が排紙ローラ２１と拍車２２を通過したら、今度は裏面を印刷するために、給紙ローラを回転可能に保持している裏面レバー２０を図中矢印方向に回動させる。次に図中矢印方向と逆方向に給紙ローラ２５、２１と拍車２６、２２を回転させることによってシークレットハガキＰを裏面印刷方向に搬送させて、搬送ガイド２９、３２、３３を通過して、図中矢印方向に回転している搬送ローラ３０と搬送従動ローラ３１によって搬送され、搬送ガイド３４、３５を通過して、図中矢印方向に回転している搬送ローラ３６によって搬送され、反転ガイド３７に沿ってシークレットハガキＰは裏面に反転される。次に図中矢印方向に回転している搬送ローラ１４と従動搬送ローラ１５により搬送され、図中矢印方向に回転している搬送ローラ１８、１９によってＬＦローラ２とピンチローラ３のニップ部に搬送され表面印刷と同様に図中矢印方向に回転しているＬＦローラ２とピンチローラ３によってシークレットハガキＰを一定量単位で搬送させながら記録ヘッド１にて印刷する。また、裏面印刷を行うために、ある一定時間搬送を停止させることによって、印刷したインクが十分に乾燥させてからシークレットハガキＰを反転させて搬送させることによって、印字面の汚れや装置本体内のインク擦れ等による汚れを防止することができる。印刷したインクを十分に乾燥させる時間は、記録媒体の種類やシークレットハガキＰの種類や、印刷するインクの量によって変化させる場合がある。
【００２０】
次に、裏面印刷を行ってから排紙するための動作について説明する。
【００２１】
印刷されたシークレットハガキＰは図中矢印方向に回転する排紙ローラ４と拍車６により順次排紙され、図中矢印方向に回転している排紙ローラ２１と拍車２２により排紙されて、次に、反転ガイド２３、２４を通過して、図中矢印方向に回転している排紙ローラ２５と拍車２６によって排紙トレイ２８にスタックされる。
【００２２】
次に本発明のシークレットハガキ作成装置の動作について説明する。
【００２３】
図２において、シークレットハガキ作成装置が待機している状態を示した簡易断面図であり。
【００２４】
次に、図３において、インクジェットプリンタによって印刷、排紙されたシークレットハガキＰの先端がＰＥセンサ６１を検出することによって、図中矢印方向に駆動ローラ５０、接着ローラ５１、搬送ローラ５３、搬送従動ローラ５４、圧接ローラ５６、５８、従動圧接ローラ５７を回転させる。また、接着剤を保持している接着剤ホルダ５２と接着剤を塗布するための接着ローラ５２を図中矢印方向に移動させ、接着ローラ５２と駆動ローラ５０を圧接させて、シークレットハガキＰを搬送させながら、接着剤を塗布させる構成となっている。本説明では接着剤によるシークレットハガキＰを貼り合せる機構を説明したが、感圧式のシークレットハガキＰを使用すれば、駆動ローラ５０、接着ローラ５１は必要ない。次に、図４において、シークレットハガキＰは図中矢印方向に搬送され、シークレットハガキＰを折り畳む位置まで搬送すると、図中矢印方向に接着ローラ５１を駆動ローラ５０から離反させる。次に、図５において、搬送ローラ５３、搬送従動ローラ５４は図中矢印方向（図４と同方向）に回転し、圧接ローラ５６、５８、従動圧接ローラ５７は図中矢印方向（図４と反対方向）に回転させることによって、シークレットハガキＰは図中矢印方向に搬送さる。図６において、圧接ローラ５６、５８によって、シークレットハガキＰは圧接されて折り畳まれることによって、シークレットハガキＰは２つ折りに接着される。図７は２つ折りに接着されたシークレットハガキＰは排紙トレイ６０にスタックされる。圧接ローラ５６、５８は印刷後のシークレットハガキＰを圧接するために、インクが付着しやすいため、本発明ではローラ表面にフッ素等の撥水性材質をコーティングしている。また、シークレットハガキＰは２つ折りの説明をしたが、３つ折り等の複数折りの場合も同様に作成可能である。
【図面の簡単な説明】
【００２５】
【図１】本発明の第１実施例であるインクジェット記録装置とシークレットハガキ作成装置を示した簡易断面図である。
【図２】本発明の第１実施例であるシークレットハガキ作成装置の動作を示した簡易断面図である。
【図３】本発明の第１実施例であるシークレットハガキ作成装置の動作を示した簡易断面図である。
【図４】本発明の第１実施例であるシークレットハガキ作成装置の動作を示した簡易断面図である。
【図５】本発明の第１実施例であるシークレットハガキ作成装置の動作を示した簡易断面図である。
【図６】本発明の第１実施例であるシークレットハガキ作成装置の動作を示した簡易断面図である。
【図７】本発明の第１実施例であるシークレットハガキ作成装置の動作を示した簡易断面図である。
【符号の説明】
【００２６】
１  記録ヘッド
２  ＬＦローラ
３  ピンチローラ
４  排紙ローラ
５  プラテン
６  拍車
７  ピンチローラホルダ
８  給紙トレイ
９  給紙ローラ
１０  固定部
１１  分離パッド
１２  搬送ローラ
１３  搬送従動ローラ
１４  反転ローラ
１５  反転従動ローラ
１６  反転ガイド
１７  反転ガイド
１８  搬送ローラ
１９  搬送ローラ
２０  裏面レバー
２１  排紙ローラ
２２  拍車
２３  反転ガイド
２４  反転ガイド
２５  排紙ローラ
２６  拍車
２７  排紙ローラガイド
２８  排紙トレイ
２９  搬送ガイド
３０  搬送ローラ
３１  搬送従動ローラ
３２  搬送ガイド
３３  搬送ガイド
３４  搬送ガイド
３５  搬送ガイド
３６  搬送ローラ
３７  反転ガイド
３８  給紙ローラ
３９  分離パッド
４０  固定部
４１  搬送ローラ
４２  搬送従動ローラ
４３  搬送ガイド
４４  搬送ガイド
４５  手差し部
４６  下段給紙部
４７  ボトムケース
５０  駆動ローラ
５１  接着ローラ
５２  接着剤ホルダ
５３  搬送ローラ
５４  搬送従動ローラ
５５  搬送ガイド
５６  圧接ローラ
５７  圧接従動ローラ
５８  圧接ローラ
５９  保持トレイ
６０  排紙トレイ
６１  ＰＥセンサ
【図１】
2007144717.tif 000003
【図２】
2007144717.tif 000004
【図３】
2007144717.tif 000005
【図４】
2007144717.tif 000006
【図５】
2007144717.tif 000007
【図６】
2007144717.tif 000008
【図７】
2007144717.tif 000009